(57)【要約】【課題】店舗の様々な状況を判断させるための状況判断情報を管理者側に提供することができ、遠隔から適切な対応指示を実施することができるようにする。【解決手段】本発明の情報処理装置は、携帯端末と通信する通信手段と、少なくとも入出金装置及びレジスタの取引のたびに、入出金装置及びレジスタのそれぞれから取得した現金在高と取引情報を含む店舗管理情報を記憶する店舗管理情報記憶手段と、店舗管理情報を参照して、通常の店舗状況とは異なる想定外事象の発生を検出する想定外事象検出手段と、想定外事象が検出された際に、通信手段を通じて携帯端末にアラートを通知する通知手段と、通信手段を通じて、携帯端末からの要求に応じて、店舗管理情報に基づく店舗現況を確認させるための状況判断情報を携帯端末に通知する状況判断情報通知手段とを備える。【選択図】      図１
2019174962.tif 000002
【特許請求の範囲】
【請求項１】
ネットワークを通じて携帯端末と通信する通信手段と、
少なくとも、入出金装置及びレジスタのそれぞれにおける取引のたびに、上記入出金装置及び上記レジスタのそれぞれから取得した現金在高と取引情報を含む店舗管理情報を記憶する店舗管理情報記憶手段と、
上記店舗管理情報を参照して、通常の店舗状況とは異なる想定外事象の発生を検出する想定外事象検出手段と、
上記想定外事象が検出された際に、上記通信手段を通じて、上記携帯端末にアラートを通知する通知手段と、
上記通信手段を通じて、上記携帯端末からの要求に応じて、上記店舗管理情報に基づく店舗現況を確認させるための状況判断情報を上記携帯端末に通知する状況判断情報通知手段と
を備えることを特徴とする情報処理装置。
【請求項２】
上記想定外事象検出手段が、
現金在高の値又は変動値に対して設定した固定情報設定値に基づいて、現金在高の変動を判断する固定情報判断部と、
上記固定情報設定値に対する上記現金在高の値又は変動値と閾値との比較結果に基づいて、想定外事象の発生を判断する流動情報判断部と
を有することを特徴とする請求項１に記載の情報処理装置。
【請求項３】
上記想定外事象検出手段が、上記入出金装置の出金後、所定時間内に上記レジスタへの投入操作が完了したか否かを判断し、出金後所定時間内に上記投入操作がなされていないときに上記想定外事象の発生と判断する投入操作判断部を有することを特徴とする請求項１に記載の情報処理装置。
【請求項４】
上記状況判断情報通知手段が、上記店舗管理情報記憶手段から収集した情報に基づいて、所定時間帯の取引数、連続した想定外取引に関する情報、想定外の状況が継続したときの情報、想定外の状況が継続しないときの情報のいずれか又は全部を通知するものであることを特徴とする請求項１〜４のいずれかに記載の情報処理装置。
【請求項５】
請求項１〜４のいずれかの情報処理装置と通信する携帯端末において、
上記情報処理装置から想定外事象の発生を知らせるアラートを取得して報知するアラート通知取得部と、
上記情報処理装置に対して、店舗現況を確認させるための状況判断情報を要求して、対応する状況判断情報を取得する状況判断情報取得手段と、
上記状況判断情報を表示する表示手段と、
入金処理装置又はレジスタに対して対応指示を送信する対応指示手段と
を備えることを特徴とする携帯端末。
【請求項６】
請求項１〜４のいずれかの情報処理装置と、請求項５に記載の携帯端末と通信する入出金装置において、
指定された額の釣銭出金を行なう出金処理手段と、
売上金の入金を行なう入金処理手段と、
釣銭出金又は売上入金に関する取引情報及び現金在高を上記情報処理装置に、取引のたびに送信する通信手段と、
上記携帯端末から対応指示としての出金承認情報を取得すると、上記出金処理手段に対して、指定された額の釣銭出金を許容する管理部と
を備えることを特徴とする入出金装置。
【発明の詳細な説明】
【技術分野】
【０００１】
本発明は、情報処理装置、携帯端末及び入出金装置に関するものである。
【背景技術】
【０００２】
例えば、小売店舗では、１人の管理者が複数の担当店舗を管理するケースや、実際の店舗運用をパートやアルバイトのみで任せるケース等がある。従って、管理者が、遠隔地から店舗の現金管理を行えるようにすることが求められている。
【０００３】
特許文献１には、店舗のバックヤードに入出金機を導入し、釣銭の出金、売上の入金に関する操作履歴を取り、かつ、遠隔地（例えば、本部や店外）から履歴情報や店舗の現金在高を把握する技術が開示されている。
【先行技術文献】
【特許文献】
【０００４】
【特許文献１】特開２００９−５９２９４号公報
【発明の概要】
【発明が解決しようとする課題】
【０００５】
しかしながら、従来技術は、遠隔地にいる管理者が、店舗の様々な状況を的確に確認することができない。また、店舗では想定外の状況が生じ得るため、そのような場合に、パートやアルバイト等の店員に対して適切な指示をすることが望まれている。さらに、出金された現金の盗難やその疑いも生じ得るため、店舗状況を確認した上で、セキュリティを維持することも求められる。
【０００６】
そこで、本発明は、店舗の様々な状況を判断させるための状況判断情報を管理者側に提供することができ、遠隔から適切な対応指示を実施することができる情報処理装置、携帯端末及び入出金装置を適用しようとするものである。
【課題を解決するための手段】
【０００７】
かかる課題を解決するために、第１の本発明に係る情報処理装置は、（１）ネットワークを通じて携帯端末と通信する通信手段と、（２）少なくとも、入出金装置及びレジスタのそれぞれにおける取引のたびに、入出金装置及びレジスタのそれぞれから取得した現金在高と取引情報を含む店舗管理情報を記憶する店舗管理情報記憶手段と、（３）店舗管理情報を参照して、通常の店舗状況とは異なる想定外事象の発生を検出する想定外事象検出手段と、（４）想定外事象が検出された際に、通信手段を通じて、携帯端末にアラートを通知する通知手段と、（５）通信手段を通じて、携帯端末からの要求に応じて、店舗管理情報に基づく店舗現況を確認させるための状況判断情報を携帯端末に通知する状況判断情報通知手段とを備えることを特徴とする。
【０００８】
第２の本発明に係る携帯端末は、第１の本発明の情報処理装置と通信する携帯端末において、（１）情報処理装置から想定外事象の発生を知らせるアラートを取得して報知するアラート通知取得部と、（２）情報処理装置に対して、店舗現況を確認させるための状況判断情報を要求して、対応する状況判断情報を取得する状況判断情報取得手段と、（３）状況判断情報を表示する表示手段と、（４）入金処理装置又はレジスタに対して対応指示を送信する対応指示手段とを備えることを特徴とする。
【０００９】
第３の本発明に係る入出金装置は、第１の本発明の情報処理装置と、第２の本発明の携帯端末と通信する入出金装置において、（１）指定された額の釣銭出金を行なう出金処理手段と、（２）売上金の入金を行う入金処理手段と、（３）釣銭出金又は売上入金に関する取引情報及び現金在高を上記情報処理装置に、取引のたびに送信する通信手段と、（４）携帯端末から対応指示としての出金承認情報を取得すると、出金処理手段に対して、指定された額の釣銭出金を許容する管理部とを備えることを特徴とする。
【発明の効果】
【００１０】
本発明によれば、店舗の様々な状況を判断させるための状況判断情報を管理者側に提供することができ、遠隔から適切な対応指示を実施することができる。
【図面の簡単な説明】
【００１１】
【図１】第１の実施形態に係る管理装置の内部構成を示す内部構成図である。
【図２】第１の実施形態に係る管理システムの全体構成を示す全体構成図である。
【図３】第１の実施形態に係る入出金機の外観斜視図の一例である。
【図４】第１の実施形態に係る入出金機の内部構成を示す内部構成図の一例である。
【図５】第１の実施形態の入出金機の主な機能を説明する機能ブロック図である。
【図６】第１の実施形態に係る携帯端末の内部構成を示す内部構成図である。
【図７】第１の実施形態に係る管理システムにおける管理方法の動作を示すシーケンス図である。
【図８】第２の実施形態に係る管理装置の内部構成を示す内部構成図である。
【図９】第２の実施形態に係る管理システムにおける管理方法の動作を示すシーケンス図である。
【発明を実施するための形態】
【００１２】
（Ａ）第１の実施形態
以下では、本発明に係る情報処理装置、携帯端末及び入出金装置の実施形態を、図面を参照しながら詳細に説明する。
【００１３】
［基本概念］
例えば、小売店舗では、１人の管理者が複数の担当店舗を管理するケースがある。このケースの場合、管理者が複数の店舗を順番に見回りするので、ある店舗に出向いているときには、他の店舗の状況を把握することが難しい。また例えば、実際の店舗運用をパートやアルバイトのみで任せるケースもある。このケースの場合、管理者の代行を任せられるパートやアルバイトの人員確保はなかなか難しい。
【００１４】
また、上記のケース等では、パートやアルバイトの現金盗難やそれを防ぐための管理者の負担は大きい。従って、店舗に管理者がいなくとも、しっかりと現金管理を行えるようにすることが求められている。
【００１５】
店舗に入出金機を導入することにより、パートやアルバイト等の店員が、釣銭出金や売上入金を行なうことが可能となる。また、入出金機がネットワークを通じて管理者の携帯端末に、操作履歴や現金在高に関する情報を送信することも可能である。これにより、管理者は、遠隔地にいてもリアルタイムに店舗の操作履歴や現金在高を把握できる。
【００１６】
しかしながら、例えば、突然多くの客が来店したり、小額商品を高額貨幣で支払うことが連続するなど想定外の状況が生じ得る。その結果、釣銭が急に不足したり、逆に売上金が過剰にレジスタにたまってしまったりしてしまう。
【００１７】
そこで、第１の実施形態では、通常とは異なる想定外の状況が生じたときには、店舗の状況を判断するための状況判断情報を管理者に提供でき、管理者が適切な指示を店員にできるようにする仕組みを提供しようとするものである。
【００１８】
（Ａ−１）第１の実施形態の構成
（Ａ−１−１）管理システムの全体構成
図２は、第１の実施形態に係る管理システムの全体構成を示す全体構成図である。
【００１９】
図２において、第１の実施形態に係る管理システム８０は、現金処理装置１００、レジスタ４０、カメラ５０、携帯端末６０を有する。
【００２０】
［現金処理装置１００］
現金処理装置１００は、入出金装置としての入出金機１０と、情報処理装置としての管理装置３０を含むものである。
【００２１】
入出金機１０及び管理装置３０は、それぞれ物理的に異なる装置であってもよいし、物理的に一体とした装置であってもよい。具体的には、入出金機１０が、後述する管理装置３０の機能を搭載するようにしてもよい。この実施形態では、説明を容易にするため、入出金機１０及び管理装置３０がそれぞれ物理的に異なる装置である場合を例示して説明する。
【００２２】
入出金機１０、管理装置３０、レジスタ４０、カメラ５０は、店舗内システムを構成するものである。入出金機１０、管理装置３０、レジスタ４０、カメラ５０は、接続回線で接続されている。店舗のカウンタに、店員により操作されるレジスタ４０が設置され、バックヤードに、入出金機１０、管理装置３０が設置されるのが一般的であるが、各構成要素の配置はこれに限定されない。
【００２３】
［入出金機１０］
入出金機１０は、レジスタ４０に釣銭を出金する釣銭出金取引や、レジスタ４０で売り上げた売上金を入金する売上入金取引を行なう入出金処理機能と、入出金機１０における現金在高、取引情報を管理する現金管理機能を備えるものである。入出金機１０は、レジスタ毎又はレジ担当者毎に釣銭出金に係る金種別の枚数を設定することができる。
【００２４】
入出金機１０は、レジスタ４０への釣銭出金取引や、レジスタ４０からの売上入金取引があるたびに、釣銭出金取引又は売上入金取引に係る取引情報（例えば、取引日時、取引番号、取引内容、入金金額、出金金額（釣銭金額）等を含む情報）と現金在高に関する情報などを管理装置３０に通知する。
【００２５】
釣銭出金取引は、入出金機１０がレジスタ４０に対して釣銭を出金する取引である。釣銭出金取引は、指定された金種毎の枚数の現金が出金される。言い換えれば、金種毎の紙幣又は硬貨の枚数をしっかりと管理するため、出金合計額のみが管理されるのではなく、金種毎に指定された枚数の紙幣又は硬貨を出金する。
【００２６】
売上入金取引は、レジスタ４０で売り上げた現金を入金する取引である。売上入金取引は、業務終了後に１日の売上金を計上する際に行なったり、又は一部現金回収のために業務途中に行なったりする。
【００２７】
入出金機１０は、ネットワークＮＴを通じて携帯端末６０と通信することができ、入出金機１０が携帯端末６０から管理者の出金許可通知を取得すると、入出金機１０は、その出金許可通知で指定された金種毎の枚数の出金を許容する。これにより、管理者が店舗外（遠隔地）にいる場合でも、釣銭出金の許可が可能となる。その結果、例えば、管理者が遠隔地にいる場合に、レジスタ４０の釣銭在高が不足するような事態が生じたときでも、店舗内にいるパートやアルバイト等の店員が、出金許容通知で指定された金種毎の枚数の現金を出金することができる。
【００２８】
［管理装置３０］
管理装置３０は、店舗の現金を一元管理する装置であり、例えばパーソナルコンピュータ等を適用することができる。管理装置３０は店舗管理情報記憶部３５を有する。
【００２９】
店舗管理情報記憶部３５は、レジスタ４０、入出金機１０から取引情報及び現金在高に関する情報を取得して、レジスタ４０に関する情報（例えば、レジ担当者、レジスタ識別情報、現金在高、売上、取引履歴など）、入出金機１０に関する情報（例えば、現金在高、売上、取引履歴など）、管理者登録情報等を記憶する。
【００３０】
管理装置３０は、レジスタ４０、入出金機１０のそれぞれの取引情報や現金在高を管理するものである。具体的には、店舗管理情報記憶部３５に記憶されている情報を参照して、レジ担当者別の売上金等の取引に関する情報を集計したり、レジスタ識別情報毎に、又は、店舗全体の現金在高や売上金等の取引に関する情報を集計したりする。
【００３１】
また、管理装置３０は、ネットワークＮＴを通じて、管理者が所持する携帯端末６０と接続可能であり、携帯端末６０からのアクセスにより店舗管理情報記憶部３５に記憶されている各種情報を、携帯端末６０に送信する。これにより、管理者が店舗外（すなわち遠隔地）にいる場合でも、管理者は携帯端末６０を用いて管理装置３０にアクセスすることで、店舗内の取引情報や、入出金機１０の取引情報を把握することができる。
【００３２】
さらに、管理装置３０は、店舗内の取引状況に応じて、レジスタ４０の釣銭不足若しくは売上金回収等の事態が生じ得ると判断すると、携帯端末６０にアラートを通知する。
【００３３】
具体的には、後述するように、レジスタ４０の現金在高（釣銭在高）の妥当性の判断について、時期的要因、時間的要因、天候要因などを考慮して、過去の統計情報に基づいて固定情報（固定的な閾値）を設定して管理すると共に、上記固定情報とは別に、固定情報から想定されるレジスタ４０の現金（釣銭）の流動情報（固定情報に対する増減値や変動値に対して設定する閾値）を判断する。
【００３４】
上記のように固定情報及び流動情報を用いることで、過去の統計情報等を用いて想定される取引に応じた現金（釣銭）をレジスタ４０に用意することができ、さらに想定外の取引があり、釣銭金額の増減値や変動率が固定情報で想定されるものとは異なる異常なときには、アラートを管理者に通知することができる。
【００３５】
アラートが携帯端末６０に通知されると、管理者が店舗内の現況を把握するため、管理者の操作を受けて、携帯端末６０は管理装置３０にアクセスし、携帯端末６０は店舗管理情報記憶部３５に記憶されている情報を取得して照会する。そして、管理者が釣銭出金が必要であると判断すると、管理者の操作を受けて、携帯端末６０が入出金機１０に出金許可通知を送信することができる。
【００３６】
［カメラ５０、レジスタ４０］
カメラ５０は、店舗内の様子を撮像する撮像装置（例えば、監視カメラ等）である。店舗内の来客状況や店員（パートやアルバイトなどを含む）の様子を撮像して、その撮像画像を管理装置３０の店舗管理情報記憶部３５に保存する。なお、カメラ５０は本発明の必須構成要素ではなく、必要に応じて設けられるものである。
【００３７】
レジスタ４０は、商品・サービスの売上を計上するものであり、例えばＰＯＳレジスタ、釣銭機などを適用することができる。レジスタ４０は、取引の際に、入力された取引情報（例えば、レジ担当者、レジスタ識別情報、取引日時、取引番号、取引内容、入金金額、出金金額（釣銭金額）等を含む情報）に基づいて取引履歴を保持すると共に、金種ごとの現金在高を管理する。また、レジスタ４０は、リアルタイム性を確保するため、取引があるごとに、取引情報、現金在高に関する情報などを管理装置３０に通知する。
【００３８】
［携帯端末６０］
携帯端末６０は、管理者が保持する携帯端末である。携帯端末６０は、通信機能、表示機能、操作入力機能を有するものであれば様々な端末を広く適用することができ、例えば、タブレット端末、スマートフォン、携帯電話機、パーソナルコンピュータ、ウェラブル端末、専用端末等を適用できる。
【００３９】
（Ａ−１−２）管理装置の内部構成
図１は、第１の実施形態に係る管理装置３０の内部構成を示す内部構成図である。
【００４０】
図１において、第１の実施形態に係る管理装置３０は、取引情報取得部３１、現金処理制御部３２、管理者情報管理部３３、通信部３４、店舗管理情報記憶部３５、現況データ管理部３６を有する。
【００４１】
管理装置３０は、店舗内の現金を一元管理するものである。管理装置３０は、例えばＰＣやワークステーション等のプログラムの実施構成を有する情報処理装置に、処理プログラムをインストールすることにより構築するようにしても良い。その場合でも、処理プログラムの機能的構成は、図１に示すことができる。
【００４２】
通信部３４は、店舗内の接続回線を通じて入出金機１０、レジスタ４０、カメラ５０との間で通信したり、ネットワークＮＴを介して携帯端末６０との間で通信したりする。
【００４３】
取引情報取得部３１は、レジスタ４０と入出金機１０のそれぞれから取引情報を取得し、取得した取引情報を店舗管理情報記憶部３５に記憶するものである。これにより、レジスタ４０及び入出金機１０のそれぞれの現金在高や、レジスタ４０及び入出金機１０で行われた各取引の取引情報を店舗管理情報記憶部３５に保持して取引履歴をとることができる。
【００４４】
現金処理制御部３２は、現金管理に関する処理を行なうものである。例えば、現金処理制御部３２は、店舗管理情報記憶部３５に記憶されている情報を参照して、売上金、レジスタ４０の現金在高、入出金機１０の現金在高、レジスタ４０で行なわれた取引情報、入出金機１０で行なわれた取引情報などを求める。さらに、現金処理制御部３２は、店舗管理情報記憶部３５に記憶されている情報を参照して、取引に関する集計処理や統計処理を行なうようにしてもよい。集計処理、統計処理の方法は、種々の処理を広く適用することができるが、例えば１日、数日、１週間、１か月、６か月、１年、数年ごとの売上金、レジスタ４０の釣銭金額（金種毎の枚数等）、金種毎の出金枚数や入金枚数等を集計したり、各種データ値の平均値や所定期間での各種データ値の変動率（変動値）をするようにしてもよい。
【００４５】
管理者情報管理部３３は、管理者のアカウント情報（登録情報）を管理するものであり、例えば、携帯端末６０を使用する管理者のＩＤやパスワード、管理者の氏名、管理者識別情報（例えば識別番号）、携帯端末６０のＭＡＣアドレスやメールアドレス等の通信先情報等を管理する。
【００４６】
現況データ管理部３６は、固定情報及び流動情報を判断して、店舗内での直近の状況を携帯端末６０にアラート通知するものである。これにより、店舗において、想定外の繁忙さや取引が生じ得るときに、携帯端末６０にアラート通知することができる。また釣銭出金や売上入金の承認許可を得るために、その判断材料を管理者に把握させることができる。
【００４７】
現況データ管理部３６は、固定情報判断部３６１、流動情報判断部３６２、通知部３６４、状況判断情報提供部３６５を有する。
【００４８】
固定情報判断部３６１は、固定情報を反映させて得た設定値（「固定情報設定値」とも呼ぶ。）を用いて、レジスタ４０の釣銭出金の金種毎の枚数を判断する。
【００４９】
固定情報は、繁忙さに影響がある情報であり、予め想定可能な情報である。例えば、曜日、時間帯、天候、時期（例えば、お盆や、年末年始等のような繁忙時期）等のように、時間的要因、天候要因、時期的要因、特定事象（例えば、花火大会などイベント等の事象）などの予め想定可能な情報は、繁忙さに影響が生じ、取引数や釣銭金額にも影響が生じる。このような予め想定可能な情報を固定情報と呼び、この固定情報に基づいて割り出した釣銭の金種枚数を固定情報設定値と呼ぶ。
【００５０】
固定情報設定値は、例えば、過去の統計データ、分析データ、管理者の経験値等に基づいて設定することができる。固定情報設定値は、管理者の操作により決定されるようにしてもよいし、固定情報判断部３６１が過去の統計データや分析データに基づいて決定するようにしてもよい。
【００５１】
固定情報設定値の割り出し方法を一例を説明する。例えば、曜日（平日、土日祝日など）、時間帯、天候（晴れ、曇り、雨など）、時期（夏休み、お盆、年末年始など）、特定事象などの固定情報の各種類には、釣銭の金種枚数に対する係数を設定しておき、基準とする平常時の金種枚数に、固定情報の種類毎の係数を乗算することで、固定情報設定値を割り出すことができる。
【００５２】
例えば、過去データを元に、平日の平常時の金種枚数を「１００」とし、通常の土日祝日の係数が「１．５」であるとき、「１００」に「１．５」を乗算して、通常の土日祝日の金種枚数（固定情報設定値）は「１５０」となる。さらに繁忙期（時期の一例）の係数が「２．０」であるときは、「１００」に「２．０」を乗算して繁忙期（時期）の金種枚数（固定情報設定値）は「２００」であり、更に天気が雨であるときの係数が「０．８」であるときには、さらに「２００」に「０．８」を乗算するようにしてもよく、繁忙期（時期）で雨であるときの金種枚数（固定情報設定値）は「１６０」とする。また、店舗の近くで花火大会（特定事象）があるときに、係数を「２．０」とし、この係数「２．０」を乗算するようにしてもよい。上記のように、固定情報設定値の割り出し方法の一例の場合、（基準となる金種枚数）×（１又は複数の固定情報の種類に設定した係数）により求めることができる。
【００５３】
なお、上記のようにして求めた、固定情報設定値に対して、更に管理者の経験知に基づいて、管理者により変更できるようにしてもよい。また、固定情報設定値は、釣銭の金種枚数に対して設定した値に限定されるものではなく、例えば、取引数や売上金に対しても設定してもよい。
【００５４】
流動情報判断部３６２は、固定情報とは別に、想定外の状況を判断するための流動情報を判断するものである。具体的には、店舗管理情報記憶部３５に記憶されている情報を参照して、固定情報から想定される釣銭枚数（固定情報設定値）に対して増減値又は変動率（若しくは変動値）が著しい場合を判断する。これにより、想定外の流動的に変化する取引状況を捉え、管理者の携帯端末６０にアラート通知することができる。
【００５５】
流動情報は、繁忙さに影響がある情報であり、予め想定することが困難な情報である。例えば、突然、多数のお客が一度に来店した場合や、大量に商品を購入したり又は高額商品を購入したりする事象が考えられる。このような予め想定することが困難な情報を流動情報と呼ぶ。
【００５６】
流動情報判断部３６２は、店舗管理情報記憶部３５に記憶されているレジスタ４０の現金在高や取引情報等を参照して、レジスタ４０の現金在高や取引情報が、固定情報から想定される釣銭枚数が著しく変化したと判断したときに、通知部３６４に対して異常時である旨を通知する。
【００５７】
通知部３６４は、流動情報判断部３６２により流動情報に基づく異常時である旨の通知を受けると、携帯端末６０に対してアラート通知を送信するものである。
【００５８】
状況判断情報提供部３６５は、携帯端末６０からの要求に基づいて、店舗管理情報記憶部３５に記憶されている情報を参照して、流動情報を判断するための情報を収集したり又は集計したりして得た状況判断情報を携帯端末６０に提供するものである。
【００５９】
また、状況判断情報提供部３６５は、携帯端末６０からの要求に基づいて、カメラ５０が撮像した映像を含む映像信号を状況判断情報として、携帯端末６０に提供するようにしてもよい。カメラ５０の映像は、リアルタイム映像であってもよいし、蓄積された過去の映像であってもよく、管理者の指示に基づいて、状況判断情報提供部３６５は映像信号を提供する。
【００６０】
さらに、状況判断情報提供部３６５は、カメラ５０の撮像映像を用いて画像処理や分析・統計処理を行い、その結果を状況判断情報として提供するようにしてもよい。例えば、撮像映像から人物を特定して、店舗内にいる客数を状況判断情報としてもよい。また例えば、特定した客数を時間帯毎に区分して、過去から現在までの客数の変動値を求め、これを状況判断情報としてもよい。
【００６１】
（Ａ−１−３）入出金機１０の内部構成
図３は、第１の実施形態に係る入出金機１０の外観斜視図である。また、図４は、第１の実施形態に係る入出金機１０の内部構成を示す内部構成図である。
【００６２】
図４に示すように、入出金機１０は、大別して、硬貨処理機１、紙幣処理機２、表示部３、操作部４、カードリーダ５、伝票記録部６、記憶部７、主制御部８、通信部８１を少なくとも有して構成される。
【００６３】
なお、図４は、入出金機１０の内部構成の一例であり、図４に示す構成要素のほかに、例えば、静脈認証等の様々な認証処理を行う認証処理部や、バーコード読取等の入力を補佐する入力補佐処理部等を有するようにしてもよい。
【００６４】
表示部３は、例えば液晶ディスプレイ（ＬＣＤ）等により、入出金機１０の各種処理操作の案内、入力画面、入力情報、金種別の入金金額又は出金金額等を表示する表示手段である。
【００６５】
操作部４は、レジスタ担当者や管理者等が操作するものであり、例えば、キーボードやテンキーなどの物理的な入力手段や、表示部３上に配置されたタッチパネル等の入力手段を適用することができる。
【００６６】
カードリーダ５は、レジスタ担当者や管理者等が使用するＩＤカードに格納されている情報を読み取り、主制御部８に読み取り情報を与えるものである。ＩＤカードとしては、管理者が用いる管理カード、レジスタの担当者が用いるレジスタカード、店舗毎に発行された店舗カード等がある。
【００６７】
伝票記録部６は、硬貨処理機１や紙幣処理機２で行なわれた入金処理又は出金処理の金額、金種別枚数等を伝票に記録して出力するものである。伝票記録部６は、例えば、プリンタ等を適用することができる。
【００６８】
記憶部７は、入金・出金処理履歴、回収庫交換履歴、釣銭収納庫入出金履歴、回収庫入金履歴等を格納するカウンタテーブルを有したり、また主制御部８が実行する制御プログラムを格納したり、更に主制御部８による処理結果も記憶するものである。
【００６９】
主制御部８は、記憶部７に格納された制御プログラムに基づいて、入出金機１０全体の処理を制御するものである。主制御部８は、レジスタ４０への釣銭出金又はレジスタ４０からの売上入金を行なう入出金処理機能や、店舗内にある現金を管理する現金管理機能を有する。
【００７０】
硬貨処理機１は、レジスタ４０が取り扱う硬貨を金種別に計数したり、金種別に収納したりするものである。
【００７１】
硬貨処理機１は、回収された硬貨を一括して受け入れる硬貨入金口１１と、この硬貨入金口１１に受け入れた硬貨を１枚ずつ分離して、硬貨の金種等を鑑別すると共に鑑別した硬貨を金種毎に計数する硬貨鑑別部１２と、この硬貨鑑別部１２で鑑別計数された硬貨を一時保留する硬貨一時保留部１３と、レジスタ４０の釣銭準備金として使用する硬貨を金種別に収納する複数の釣銭用硬貨収納庫（釣銭用現金収納庫）１４、入金硬貨を金種別に収納する硬貨回収庫１５と、釣銭用の硬貨を出金するための硬貨出金庫１６と、硬貨リジェクト口１７と、制御プログラムに基づいて硬貨処理機１全体の動作制御を行う制御部１８を有する。
【００７２】
ここで、硬貨一時保留部１３、釣銭用硬貨収納庫１４、硬貨回収庫１５、及び硬貨出金庫１６は金種毎に分けて硬貨を集積、収納できるように内部が区切られている。
【００７３】
また、硬貨入金口１１と硬貨鑑別部１２との間には、分離部により分離された硬貨を搬送する搬送ベルト等による搬送路が設けられている。また、釣銭用硬貨収納庫１４と硬貨回収庫１５及び硬貨出金庫１６との間には、釣銭用硬貨収納庫１４から排出される硬貨を硬貨回収庫１５と硬貨出金庫１６のいずれかに導く振分け手段と、通過する硬貨を金種毎に計数する計数手段とが設けられている。
【００７４】
また、釣銭用硬貨収納庫１４に対しては、収納する硬貨の金種毎に保管基準額が設定されており、その保管基準額を保つために入金処理された硬貨を収納するようになっている。また、釣銭用硬貨収納庫１４にも硬貨を搬送路に繰り出す繰出し手段が設けられている。
【００７５】
硬貨回収庫１５は複数用意され、必要に応じて交換されるものであるが、この実施形態では、硬貨回収庫１５には記憶部（識別情報保有部）１５ａが設けられている。この記憶部１５ａには硬貨回収庫１５を識別するためのＩＤ番号等の固有の識別情報が記憶され、制御部１８または後述する主制御部８がこの識別情報を認識して硬貨回収庫１５を特定するものとなっている。
【００７６】
紙幣処理機２は、レジスタ４０が取り扱う紙幣を金種別に計数したり、金種別に収納したりするものである。
【００７７】
紙幣処理機２は、入金処理時にレジスタ４０から回収した紙幣を一括して受け入れると共に出金処理時に釣銭としての紙幣を排出する紙幣入出金口２１と、この紙幣入出金口２１に受け入れた紙幣を１枚ずつ分離して、紙幣の金種等を鑑別すると共に鑑別した紙幣を金種毎に計数する紙幣鑑別部２２と、この紙幣鑑別部２２で鑑別計数された紙幣を集積して一時保留する紙幣一時保留部２３と、レジスタ９１等の釣銭準備金として使用する特定金種（例えば、五千円、千円）の紙幣を金種別に収納する釣銭用紙幣収納庫（釣銭用現金収納庫）２４と、入金紙幣を金種別に収納する紙幣回収庫（現金回収庫）２５と、紙幣リジェクト庫２６と、制御プログラムに基づいて紙幣処理機２全体の動作制御を行う制御部２７を有する。
【００７８】
ここで、紙幣一時保留部２３には紙幣を繰出す繰出し手段が設けられている。また、釣銭用紙幣収納庫２４に対しては、収納する紙幣の金種毎に保管基準額が設定されており、その保管基準額を保つために入金処理された紙幣を収納するようになっている。釣銭用紙幣収納庫２４にも紙幣の集積手段が紙幣を搬送路に繰り出す繰出し手段と共に設けられている。
【００７９】
紙幣回収庫２５は複数用意され、必要に応じて交換されるものであるが、各紙幣回収庫２５には、ニアフルやフルを検知するセンサが設けられており、これらのセンサにより紙幣の有無や、満杯状態を確認できるようになっている。但し、収納量は後述するテーブルに格納される入金履歴からも把握可能である。
【００８０】
なお、硬貨処理機１の制御部１８及び紙幣処理機２の制御部２７は主制御部８の指示により硬貨処理機１及び紙幣処理機２を制御する。
【００８１】
通信部８１は、店舗内の接続回線を通じて管理装置３０、レジスタ４０との間で通信したり、ネットワークＮＴと接続しており携帯端末６０との間で通信したりする。
【００８２】
（Ａ−１−４）入出金機１０の機能構成
図５は、第１の実施形態の入出金機１０の主な機能を説明する機能ブロック図である。図５に示す入出金機１０の機能は、主制御部８が、記憶部７に格納される現金処理プログラムを実行することにより実現される。
【００８３】
図５において、入出金機１０は、管理部１０１、出金処理部１０２、入金処理部１０３、集計処理部１０４、現金管理情報記憶部１０５を有する。
【００８４】
管理部１０１は、入出金機１０で釣銭出金取引や売上入金取引があるたびに、現金管理情報記憶部１０５に記憶されている入出金機１０における現金在高、取引情報を管理装置３０に通知する。これにより、入出金機１０に記憶されている現金在高、取引情報を管理装置３０に一元管理させることができる。
【００８５】
出金処理部１０２は、ユーザ（レジスタ担当者又は管理者）の操作を受けて、釣銭出金処理を行なうものである。出金処理部１０２は、主に、レジスタ４０への釣銭出金を行なうものである。釣銭出金は、セキュリティを確保するため、権限を有する管理者による操作が望ましいが、店舗に管理者がいない場合に管理者以外による釣銭出金する必要性が生じ得る。そこで、出金処理部１０２は、管理者の出金承認許可を携帯端末６０から取得したときに、管理者により指定された金種毎の枚数の範囲で出金するように制限をかけることもできる。
【００８６】
出金方法の一例を説明する。例えば、出金処理部１０２は、操作部４から出金に係る金種金額を受けると、金種金額に基づく出金処理を、硬貨処理機１及び紙幣処理機２に対して指示する。また、出金処理部１０２は、出金に係る金種金額を、識別情報（例えばレジスタカード識別情報、レジスタ識別情報等）に対応付けて取引履歴情報として現金管理情報記憶部１０５に記憶させるものである。
【００８７】
入金処理部１０３は、ユーザ（レジスタ担当者又は管理者）の操作を受けて、入金取引を行なうものである。入金処理部１０３は、主に、レジスタ４０で売り上げた売上金を入金するものである。つまり、レジスタ担当者等の業務終了後等に、レジスタ９１の収納器（ドロワー）に収納されている金銭をユーザが入金する。
【００８８】
入金方法の一例を説明する。例えば、入金処理部１０３は、操作部４から入金要求を受けると、硬貨処理機１及び紙幣処理機２への現金の投入を受け付け、投入された入金に係る金種金額を求める。また、入金処理部１０３は、入金に係る金種金額を、識別情報（例えばレジスタカード識別情報、レジスタ識別情報等）に対応付けて取引履歴情報として現金管理情報記憶部１０５に記憶させるものである。
【００８９】
集計処理部１０４は、売上集計や違算算出等の処理を行なうものである。集計処理部１０４は、例えば、現金管理情報記憶部１０５の取引履歴情報を参照しながら、レジスタカード識別情報毎、レジスタ識別情報毎又はレジスタ担当者毎に、売上集計や違算算出を行なう。
【００９０】
（Ａ−１−５）携帯端末６０の内部構成
図６は、第１の実施形態に係る携帯端末６０の内部構成を示す内部構成図である。
【００９１】
図６において、第１の実施形態に係る携帯端末６０は、制御部６１０、表示部６２０、入力部６３０を有する。
【００９２】
通信部６４０は、ネットワークＮＴと接続して、店舗システムを構成している入出金機１０、管理装置３０、レジスタ４０のいずれか又は全てと通信するものである。
【００９３】
表示部６２０は、例えば液晶ディスプレイ等を適用することができ、制御部６１０の制御を受けて、管理装置３０から取得した情報を表示するものである。
【００９４】
入力部６３０は、管理者の操作により、情報を入力するものであり、入力情報を制御部６１０に与えるものである。
【００９５】
制御部６１０は、携帯端末６０の各種機能を司るものである。制御部６１０のハードウェア構成は、例えば、ＣＰＵ、記憶部（例えばＲＡＭ、ＲＯＭ、ＥＥＰＲＯＭ）、入出力インタフェース等を有する装置であり、ＣＰＵが記憶部に格納されている処理プログラムを実行することにより、携帯端末６０の各種機能が実現される。また、携帯端末６０に処理プログラムがインストールされることにより構築できるようにしてもよく、その場合でも、処理プログラムは、ＣＰＵを図６に示す処理として機能させる。
【００９６】
制御部６１０は、アラート通知取得部６１１、状況判断情報取得部６１２、対応指示部６１３を有する。
【００９７】
アラート通知取得部６１１は、通信部６４０を通じて管理装置３０からアラート通知を取得するものであり、アラート通知を受信すると、管理者に注意喚起させるため、例えば、表示部６２０に通知表示をしたり、アラート音を鳴動させたりなどする。
【００９８】
状況判断情報取得部６１２は、通信部６４０を通じて管理装置３０にアクセスして、管理装置３０との間で情報の授受を行なうものである。状況判断情報取得部６１２は、管理装置３０に対して、店舗管理情報記憶部３５に記憶されている情報のうち希望する情報を選択指示し、その指示した情報を取得する。また、状況判断情報取得部６１２は、取得した情報を表示部６２０に表示する。これにより、管理者は、表示される情報に基づいて店舗内の現況を把握したり、分析したりすることができる。
【００９９】
対応指示部６１３は、入力部６３０から入力された管理者の対応指示に関する情報を、通信部６４０を通じて、入出金機１０、管理装置３０、レジスタ４０のうちいずれかに送信する。これにより、例えば、店舗の状況を把握した管理者が、レジスタ４０の釣銭不足が生じ得ると判断したときに、入出金機１０に対して出金承認許可を通知することができる。このとき、金種毎の出金額を指定することができる。また、必要に応じて、パートやアルバイト等の店員に対して具体的な対応指示を行なうために、レジスタ４０に向けて対応指示を通知することができる。
【０１００】
（Ａ−２）第１の実施形態の動作
図７は、第１の実施形態に係る管理システム８０における管理方法の動作を示すシーケンス図である。
【０１０１】
なお、以下では、レジスタ４０の釣銭在高が不足するような場合に、管理者の出金承認により、店員が入出金機１０から釣銭出金するときを例示するが、レジスタ４０の釣銭在高が過剰に高く、入出金機１０に売上入金する場合にも適用できる。
【０１０２】
入出金機１０では、レジスタ４０への釣銭出金又はレジスタ４０からの売上入金の取引の都度、取引情報（取引履歴）、現金在高が、管理装置３０に通知される（ステップＳ１０１）。また、レジスタ４０には事前に釣銭準備金が収納されており、取引の都度、取引情報（取引履歴）、現金在高（釣銭在高）が、レジスタ４０から管理装置３０に通知される（ステップＳ１０２）。このように、レジスタ４０や入出金機１０の現金在高は、管理装置３０において一元管理される。
【０１０３】
ステップＳ１０３では、遠隔地にいる管理者の操作により、携帯端末６０が管理装置３０にアクセスする。携帯端末６０は、管理装置３０で管理している店舗の現金在高情報を取得して表示部６２０に表示する。
【０１０４】
これにより、管理者は、遠隔から携帯端末６０を用いて店舗の在高情報を照会でき、店舗で必要な釣銭（レジスタ４０の釣銭）を把握できる。またレジスタ４０の現金在高を参照して、釣銭出金が必要であると判断したり、過剰に現金が収納されているときには、管理者は、携帯端末６０を通じて配金依頼等を行なうこともできる。
【０１０５】
ステップＳ１０４以降は、店舗において想定外の取引が生じ、釣銭が不足する傾向にあるときに、管理者が遠隔から店舗の現況を把握して釣銭の出金承認する場合の処理である。
【０１０６】
管理装置３０において、現況データ管理部３６の固定情報判断部３６１には、過去の統計データや分析データや管理者の経験知等に基づいて、固定情報に基づいて割り出された固定情報設定値が設定される。また、流動情報判断部３６２には、流動情報設定値が設定される（ステップＳ１０４）。
【０１０７】
流動情報判断部３６２は、店舗管理情報記憶部３５に蓄積されているレジスタ４０の釣銭在高と固定情報設定値とを比較して、その差分値が流動情報設定値以上となると、想定外の流動的な状況であると判断し（ステップＳ１０５）、通知部３６４が管理者の携帯端末６０にアラート通知を行なう（ステップＳ１０６）。
【０１０８】
固定情報設定値及び流動情報に関する設定情報の設定タイミングは、特に限定されるものではなく、業務開始前に設定するようにしてもよいし、又業務開始後に、管理者が店舗に訪れたときに設定するようにしてもよい。また、将来の日にち指定をして当該指定日の固定情報及び流動情報を事前に設定するようにしてもよい。
【０１０９】
流動情報は、固定情報とは別に、直近の釣銭の金種毎の増減状況のことで、固定情報から想定される釣銭の増減情報に対し、釣銭の増減がある一定以上の変化が出た状況を把握するものである。
【０１１０】
また、流動情報設定値は、固定情報設定値に対する増減状況を捉えるための値である。また流動情報設定値は、想定外の状況を検知するための情報であり、また想定外の状況の場合に、管理者（携帯端末６０）にアラートを通知するために寄与する情報でもある。
【０１１１】
例えば、統計的な情報から固定情報設定値として割り出された釣銭枚数が、以下の場合とする。以下では、本日の１００円硬貨の釣銭枚数は、固定情報から算出すると、朝１０時から夜１０時までは２００枚必要であり、時間帯毎にレジスタ４０の釣銭在高の推移予想（固定情報設定値）を例示する。
【０１１２】
＜固定情報から割り出された釣銭枚数（固定情報設定値）＞
「１０時：２００〜２００枚」→「１１時：１７５〜１９０枚」→「１２時：１５５〜１７５枚」→「１３時：１３０〜１５０枚」→「１４時：１２０〜１３５枚」→「１５時：１１５〜１２５枚」→「１６時：１０５〜１１５枚」→「１７時：８０〜１００枚」→「１８時：６５〜８０枚」→「１９時：５０〜６５枚」→「２０時：４４〜５０枚」
【０１１３】
例えばこの場合、固定情報設定値を閾値として、実際の釣銭枚数が閾値に対して一定枚数（例えば１０枚）以上少なくなった場合には、流動情報判断部３６２は、通常とは異なる想定外の状況であると検知し、通知部３６４が管理者の携帯端末６０にアラート通知するようにする。
【０１１４】
携帯端末６０にアラートが通知されると、管理者は店舗の現況を確認するため携帯端末６０を操作し、携帯端末６０が管理装置３０にアクセスし、携帯端末６０が管理装置３０に状況判断情報要求を送信する（Ｓ１０７）。
【０１１５】
管理装置３０では、状況判断情報提供部３６５が、受信した要求に基づいて、店舗管理情報記憶部３５に記憶されている情報を収集・集計して、状況判断情報を形成する。そして、状況判断情報提供部３６５は、通信部３４を通じて、状況判断情報を携帯端末６０に送信する（ステップＳ１０８）。
【０１１６】
携帯端末６０は、管理装置３０からの状況判断情報を受信すると、表示部６２０に状況判断情報を表示する。これにより、管理者は、状況判断情報を閲覧して、現在の店舗の状況を確認する（ステップＳ１０９）。
【０１１７】
想定外の状況が生じ、管理者が釣銭出金の要否を判断するための状況判断情報（判断材料）の一例を説明する。
【０１１８】
［対象時間帯の取引数］
状況判断情報の一例として、対象時間帯の取引数がある。例えば、通常取引が多くない時間帯に想定外の取引が発生したか否かを判断することができる。具体例として、複数台の観光バスが店舗に来たり、想定を超える多数の来客がある場合などである。
【０１１９】
管理者が、「対象時間帯の取引数」を状況判断情報として管理装置３０に要求した場合、状況判断情報提供部３６５は、店舗管理情報記憶部３５に記憶されている情報から、指定された時間帯の取引数を収集し、その時間帯の取引数を携帯端末６０に提供する。このとき、状況判断情報提供部３６５は、対象時間帯の取引数を数値化したものとしてもよい。また、状況判断情報提供部３６５は、時間帯毎の取引数の変動が分かるようにするため、当該対象時間帯の前後の時間帯の取引数も収集して、対象時間帯の前後の時間帯の取引数をグラフ化したものでもよい。
【０１２０】
［連続した想定外取引］
状況判断情報の一例として、連続した想定外取引がある。例えば、釣銭枚数に影響が出るような、ある特定の取引が連続してあったか否かを判断することができる。具体例として、１万円で小額の買い物をする取引が連発したり、大量硬貨での支払いがあった場合などである。
【０１２１】
この場合、状況判断情報提供部３６５は、預かり金額及び釣銭金額が含まれている取引情報を含む取引履歴を、店舗管理情報記憶部３５から収集して、例えば取引履歴をリスト化したものを状況判断情報として携帯端末６０に提供するようにしてもよい。
【０１２２】
［想定外の状況が継続した場合の情報］
状況判断情報の一例として、想定外の状況が継続した場合の情報がある。例えば、固定情報から想定外の状況が継続した場合の釣銭容量の推移予測や推移予測の変更などを判断することができる。具体例として、不定期かつ非公開のイベントがあり、終日来客が増える場合、閾値（固定情報設定値）の推移（増減量変化）に係数をかけて閾値をみなおし、営業中に釣銭が不足する可能性があるかを判断することができる。
【０１２３】
［想定外の状況が継続しない場合の情報］
状況判断情報の一例として、想定外の状況が継続しない場合の情報がある。例えば、想定外の状況が継続しない場合、現時点の減少枚数を、営業終了時の予想枚数から引いた場合に、不足しないかを判断することができる。
【０１２４】
この場合、状況判断情報提供部３６５は、カメラ５０が撮影した店舗内の映像情報としてもよい。また、状況判断情報提供部３６５は、店舗店員による入力情報としてもよい。例えば、想定外の状況があった場合、店員がレジスタ４０に操作情報を入力して、そのレジスタ４０に入力した情報を状況判断情報として提供するようにしてもよい。より具体的には、レジスタ４０の画面には、管理者に想定外の状況を知らせるための複数の選択ボタンが表示されており、店員が、その状況に対応する選択ボタンを押すことで、その状況を知らせる内容が記載されている状況判断情報を携帯端末６０に提供することができる。
【０１２５】
そして、状況判断情報を閲覧した管理者が、追加的に釣銭出金が必要であると判断した場合、管理者の操作を受けて、携帯端末６０は入出金機１０に出金承認を送信する（ステップＳ１１０）。このとき、金種枚数も指定される。
【０１２６】
ここで、管理者が店舗にいる担当者（例えば店員等）に対して作業指示をするために、管理者操作を受けて、携帯端末６０がレジスタ４０に担当者（例えば店員等）への作業通知を行う（Ｓ１１３）。携帯端末６０からレジスタ４０への作業通知は、様々な方法を用いることができ、例えば、携帯端末６０の表示画面には、予め１又は複数の作業のそれぞれを通知のための選択通知ボタンがあり、管理者が指示する作業の選択通知ボタンを選択することで、作業通知がレジスタ４０に通知するようにしてもよい。また例えば、電子メールやチャット機能等により担当者に指示する内容を管理者が書き込んで担当者に通知するようにしてもよい。レジスタ４０は、携帯端末６０から通知された作業指示を表示し、担当者は管理者からの作業指示を確認する（Ｓ１１４）。なお、担当者は管理者との間でコミュニケーションを図るために、レジスタ４０から携帯端末６０に向けて、担当者からの作業可否通知を行えるようにしてもよい（Ｓ１１５）。例えば、店舗内の混雑状況などによっては、管理者からの作業通知に対して、担当者がすぐに対応できないことがあり、ある時間経過後に担当者が対応することを管理者に通知したりことなどもある。このような場合に、担当者がレジスタ４０を用いて作業可否通知を携帯端末６０に通知するようにしてもよい。この作業可否通知も、上記作業通知の場合と同様に、例えば、レジスタ４０の表示画面に、予め管理者からの作業指示に対する１又は複数の回答を通知のための選択通知ボタンがあり、担当者が、管理者からの作業指示に対する回答の選択通知ボタンを選択することで、作業可否通知が携帯端末６０に通知するようにしてもよい。また例えば、電子メールやチャット機能等により担当者に指示する内容を管理者が書き込んで担当者に通知するようにしてもよい。
【０１２７】
入出金機１０では、携帯端末６０から管理者による出金承認が与えられると、入出金機１０は指定された金種枚数の釣銭出金が可能となる。そして、入出金機１０において、店員による釣銭出金に係る操作が行われ、指定された金種枚数の現金が出金され（ステップＳ１１１）、出金された金種枚数がレジスタ４０に投入される（ステップＳ１１２）。
【０１２８】
例えば、店舗で、レジスタ４０の釣銭準備金が不足し、パート・アルバイトが入出金機１０より出金する場合は、事前に遠隔から管理者が指定した現金のみを出金する。従来、遠隔から管理者が出金承認することと、固定情報から統計的な判断要因で出金容量を判断するしくみは検討されてきた。しかし、この実施形態によれば、アラート通知を受信した管理者が、リアルタイムに店舗の流動的な状況を把握し、釣銭出金の要否を判断して、必要現金を決定して、出金を判断することができる。
【０１２９】
アラート通知を受信した管理者は、閾値の動き（すなわち、固定情報設定値の時間帯の推移）と直近の実現金の動きをリアルタイムで確認し、追加の釣銭出金が必要かを判断する。
【０１３０】
また、釣銭の出金要否を判断する上では、直近の実現金量の推移をみるだけでなく、通常と想定外の動きをしている時間帯の取引数の推移や、特定の取引で想定外の入出金がされていないかなど、取引情報の確認も行い判断材料とする。
【０１３１】
さらに、特定の想定外の取引であっても、管理者が状況判断情報を参照して、運用終了まで釣銭が間に合うと考えられる程度の差異であった場合は、管理者は、全体の釣銭量の見直し（すなわち、追加出金）をする必要がないとも判断できる。
【０１３２】
（Ａ−３）第１の実施形態の効果
以上のように、第１の実施形態によれば、以下のような効果を奏する。
【０１３３】
現金管理の権限やノウハウを有する管理者に対して、アラート通知をして、現在の状況判断情報を提供することができるので、固定情報から想定外の流動的な状況を十分に把握させて、出金又は入金の要否を適切に判断させることができる。
【０１３４】
その結果、店舗の中で流動的な状況により、釣銭の出金要否を判断することができるのは、店舗での現金管理のノウハウを有した有識者（店長）であるので、常時店舗に有識者がいなくても（パートアルバイトだけでも）、必要な釣銭容量を把握し、必要最低限の釣銭により店舗の運用を回すことができる。
【０１３５】
また、釣銭は余裕を見て用意するもの１つの手段であるが、その場合、必要以上に店舗に釣銭が出ている状態になったり、パートアルバイトが触れる現金が多くなったりするため、不正のリスクは高くなる。
【０１３６】
このため、現金管理の有識者が店舗内にいなくても、店舗で必要最低限の現金で運用をまわすことにより、［１］店舗現金の資金圧縮、［２］店員による不正抑止（不要な出金取引の削減、高額な釣銭持出しの削減）という効果を奏する。
【０１３７】
（Ｂ）第２の実施形態
次に、本発明に係る現金管理装置及び現金管理システムの第２の実施形態を、図面を参照しながら詳細に説明する。
【０１３８】
［基本概念］
入出金機から出金された現金が、レジスタに投入せずに持ち去られるリスクがある。そのため、入出金機の出金履歴とレジスタへの投入履歴と突き合わせて正しく把握し、レジスタへの投入が正しく操作されたかをチェックする仕組みが望まれる。例えば、出金操作後、一定時間内にレジスタへの投入操作が行われない場合にアラートを出すということが考えられる。
【０１３９】
しかし、限られた店員で店舗内のあらゆる作業を行う流通の店舗では「釣銭出金からレジへの投入までの」操作時の運用状況によっては、通常の運用フローで作業（例えば、一定時間内に投入操作を行なうなどの作業）をすることが難しい場合がある。
【０１４０】
そこで、第２の実施形態では、管理者が、釣銭出金から投入操作までの間に、店舗内の来客状況などを加味し、操作状況の監視ができるしくみが必要である。
【０１４１】
（Ｂ−１）第２の実施形態の構成
第２の実施形態の管理システムの全体構成は、第１の実施形態の図２に示す全体構成と同様である。また入出金機の外観構成、内部構成及び機能構成も、第１の実施形態の図３〜図５に示す構成と同様であり、携帯端末の内部構成も、第１の実施形態の図６に示す構成と同様である。
【０１４２】
したがって、第２の実施形態においても、第１の実施形態の図２〜図６を用いて説明する。
【０１４３】
図８は、第２の実施形態に係る管理装置３０の内部構成を示す内部構成図である。
【０１４４】
図８において、第２の実施形態に係る管理装置３０は、取引情報取得部３１、現金処理制御部３２、管理者情報管理部３３、通信部３４、店舗管理情報記憶部３５、現況データ管理部３６Ａを有する。
【０１４５】
第２の実施形態の管理装置３０は、現況データ管理部３６Ａの機能が、第１の実施形態と異なる。従って、以下では、現況データ管理部３６Ａの構成について詳細に説明し、それ以外の取引情報取得部３１、現金処理制御部３２、管理者情報管理部３３、通信部３４、店舗管理情報記憶部３５の詳細な説明は省略する。
【０１４６】
現況データ管理部３６Ａは、投入操作判断部３６７、通知部３６８、状況判断情報提供部３６９を有する。
【０１４７】
投入操作判断部３６７は、入出金機１０における出金後、所定時間内にレジスタ４０への投入操作が行なわれたか否かを判断するものである。具体的には、入出金機１０において出金処理が実施されると、出金完了情報が管理装置３０に通知される。また、レジスタ４０において釣銭の投入処理が実施されると、投入完了情報が管理装置３０に通知される。投入操作判断部３６７は、タイマを有しており、入出金機１０での出金時刻から所定時間内に、レジスタ４０へにおける投入操作が行なわれたか否かを判断する。
【０１４８】
通知部３６８は、投入操作判断部３６７により、入出金機１０における出金後、所定時間経過してもレジスタ４０への投入操作が行われていない場合に、携帯端末６０に対してアラート通知を送信するものである。
【０１４９】
状況判断情報提供部３６９は、携帯端末６０からの要求に基づいて、店舗管理情報記憶部３５に記憶されている情報を参照して、流動情報を判断するための情報を収集したり又は集計したりして得た状況判断情報を携帯端末６０に提供するものである。
【０１５０】
また、状況判断情報提供部３６９は、携帯端末６０からの要求に基づいて、カメラ５０が撮像した映像を含む映像信号を状況判断情報として、携帯端末６０に提供するようにしてもよい。カメラ５０の映像は、リアルタイム映像であってもよいし、蓄積された過去の映像であってもよく、管理者の指示に基づいて、状況判断情報提供部３６９は映像信号を提供する。
【０１５１】
さらに、状況判断情報提供部３６９は、カメラ５０の撮像映像を用いて画像処理や分析・統計処理を行い、その結果を状況判断情報として提供するようにしてもよい。例えば、撮像映像から人物を特定して、店舗内にいる客数を状況判断情報としてもよい。また例えば、特定した客数を時間帯毎に区分して、過去から現在までの客数の変動値を求め、これを状況判断情報としてもよい。
【０１５２】
（Ｂ−２）第２の実施形態の動作
図９は、第２の実施形態に係る管理システム８０における管理方法の動作を示すシーケンス図である。
【０１５３】
図８において、ステップＳ１０１〜Ｓ１０３の処理は、第１の実施形態の図７のステップＳ１０１〜Ｓ１０３と同様の処理であるため、ここでは省略する。
【０１５４】
管理者の操作を受けて、携帯端末６０は、携帯端末６０は入出金機１０に出金承認を送信する（ステップＳ２０１）。このとき、金種枚数も指定される。
【０１５５】
入出金機１０では、携帯端末６０から管理者による出金承認が与えられると、入出金機１０は指定された金種枚数の釣銭出金が可能となる。そして、入出金機１０において、店員による釣銭出金に係る操作が行われ、指定された金種枚数の現金が出金される（ステップＳ２０２）。入出金機１０において出金処理が実施されると、出金完了情報が、入出金機１０から管理装置３０に通知される。
【０１５６】
店員は入出金機１０で出金された現金をレジスタ４０まで運搬し、レジスタ４０への投入操作を行なう（ステップＳ２０３）。レジスタ４０に現金が投入されると、投入完了情報が、レジスタ４０から管理装置３０に通知される。
【０１５７】
管理装置３０において、現況データ管理部３６Ａの投入操作判断部３６７は、入出金機１０における出金後、所定時間内にレジスタ４０への投入操作が行なわれたか否かを判断する（ステップＳ２０４）。そして、投入操作判断部３６７により、入出金機１０における出金後、所定時間経過してもレジスタ４０への投入操作が行われていない場合に、通知部３６８は、携帯端末６０に対してアラート通知を送信する（ステップＳ２０５）。携帯端末６０にアラートが通知されると、管理者は店舗の現況を確認するため携帯端末６０を操作し、携帯端末６０が管理装置３０にアクセスし、携帯端末６０が管理装置３０に状況判断情報要求を送信する（ステップＳ２０６）。
【０１５８】
管理装置３０では、状況判断情報提供部３６９が、受信した要求に基づいて、店舗管理情報記憶部３５に記憶されている情報を収集・集計して、状況判断情報を形成する。そして、状況判断情報提供部３６９は、通信部３４を通じて、状況判断情報を携帯端末６０に送信する（ステップＳ２０７）。
【０１５９】
携帯端末６０は、管理装置３０からの状況判断情報を受信すると、表示部６２０に状況判断情報を表示する。これにより、管理者は、状況判断情報を閲覧して、現在の店舗の状況を確認する（ステップＳ２０８）。
【０１６０】
ここで、出金後、所定時間経過しても投入操作がなされていない場合に、アラートが管理者（携帯端末６０）に通知されるが、管理者は、店舗内の状況を適切に把握することが難しい。例えば、入出金機１０がレジスタ４０から離れた位置に設定されているために、迅速に投入操作ができない等の店舗の特性や、例えば、出金後に来客数が急に増加してしまい、投入操作ができない等の現金運用上の環境状況等があるためである。
【０１６１】
このため、遠隔地の管理者は、判断状況情報を閲覧して、操作できなかった状況を把握し、適切な対応指示を行なう。
【０１６２】
以下には、第２の実施形態に係る判断状況情報（判断材料）の一例を説明する。
【０１６３】
（ａ）店舗混雑状況のモニタリング
［レジスタ稼働情報］
判断状況情報の一例として、店舗混雑時のレジスタ４０の稼働状況情報がある。例えば、レジスタ４０の稼働状況を判断することで、店舗内の混雑具合を判断することができる。
【０１６４】
状況判断情報提供部３６９は、店舗管理情報記憶部３５に記憶されている情報から、現在の時刻から所定時間内のレジスタ４０の取引数を稼働状況情報として収集し、その取引数を数値化したものとしてもよい。また、状況判断情報提供部３６９は、時間帯毎の取引数の変動が分かるようにするため、当該対象時間帯の前後の時間帯の取引数も収集して、対象時間帯の前後の時間帯の取引数をグラフ化したものでもよい。
【０１６５】
［来客人数情報］
判断状況情報の一例として、来客人数情報がある。これにより、現在の来客数を確認することができるので、レジスタ４０での対応をしているために投入操作が行われていないことを判断できる。
【０１６６】
状況判断情報提供部３６９は、画像処理により、映像に移っている客数を検出し、その客数を来客人数情報としてもよい。
【０１６７】
また、状況判断情報提供部３６９は、携帯端末６０からの要求により、カメラ５０が撮影した店舗内の映像情報を送信するようにしてもよい。これにより、管理者は、携帯端末の表示部６２０を通じて店舗内の映像を見ることができるので、店舗内の状況を把握することができる。
【０１６８】
（ｂ）機器配置、店員動線、店員行動の確認
［店舗内映像情報］
判断状況情報の一例として、店舗内映像情報がある。これにより、店舗内の機器配置と動線情報と店員の動きを確認できるので、投入操作が行われていない理由を判断することができる。例えば、コンビニエンスストアなどで、店員がカフェ抽出機の横にいる場合には、カフェ抽出機の故障等の対応のため、投入操作ができていないことを判断することができる。
【０１６９】
そして、状況判断情報を閲覧した管理者が、店舗状況を把握した上で、店員に対応指示をする。管理者の操作を受けて、携帯端末６０は、レジスタ４０に対して、アラート通知、メール、メッセージ等のように管理者の指示内容が含まれるアラートメッセージ情報を送信する（ステップＳ２０９）。これにより、レジスタ４０の表示部（図示しない）には、管理者の指示内容が表示され、店員は指示内容を確認する（ステップＳ２１０）。これにより、管理者が遠隔地にいる場合でも、店員に的確な指示ができ、早急な対応ができるようにする。
【０１７０】
また、レジスタ４０には、例えばメール機能、メッセージ通知機能などの機能があり、店員は、管理者の対応指示に対する回答を携帯端末６０に送信する（ステップＳ２１１）。これにより、店舗内の店員も、アラートメッセージが出た際に、対応できない理由を管理者（携帯端末６０）に通知することができる。従って、管理者側は、その理由を遠隔で取得できる情報と比較し、対処が必要かどうかを判断することができる。
【０１７１】
管理装置３０における、出金後レジスタ４０への投入操作が行われたか否かを判断する時間を変更するため、携帯端末６０は、管理者の操作により、設定時間の変更処理を行う（ステップＳ２１２）。これにより、店舗内の状況に応じて、アラート通知のタイミングを柔軟に設定変更することができる。
【０１７２】
（Ｂ−３）第２の実施形態の効果
以上のように、第２の実施形態によれば、遠隔で得られる店舗状況より、事前に決められた固定情報だけの判断にならないため、より適切な判断が最短でできるようになる。
【０１７３】
また、店舗状況を把握の際に、店員の操作（負担）に極力依存しないことで、店舗状況によりリアルタイムに店員が対応できない状況でも、遠隔の管理者はリアルタイムに状況を把握できる。
【０１７４】
（Ｃ）他の実施形態
上述した第１及び第２の実施形態においても種々の変形実施形態を言及したが、本発明は、以下の変形実施形態にも適用できる。
【０１７５】
（Ｃ−１）上述した第１の実施形態と、第２の実施形態の構成を組み合わせたとしてもよい。
【０１７６】
第１の実施形態では、想定外の事象が生じたときに、管理者が携帯端末を通じて入出金機に対して釣銭出金の承認を行い、店員が入出金機から釣銭出金をするまでの動作である。第２の実施形態では、店員が入出金機から釣銭を出金後、投入操作するまでの動作である。従って、第１の実施形態と第２の実施形態を組み合わせることにより、想定外の事象を管理者が把握して釣銭出金を承認すると共に、投入操作ができない事象を把握しながら、投入操作が実施されるまでを管理者が監視することができる。
【０１７７】
（Ｃ−２）管理者レスの店舗での現金管理（遠隔での管理）で利用形態として、前述ではつり銭機と入出金機の例で記載したが、つり銭機だけでなく、店舗内の券売機、精算機などの現金処理機器、また入出金機だけでなく、銀行ＡＴＭなどの現金処理機器などにも本発明を適用可能である。
【符号の説明】
【０１７８】
８０…管理システム、１００…入出金装置、４０…レジスタ、５０…カメラ、
１０…入出金機、１０１…管理部、１０２…出金処理部、１０３…入金処理部、１０４…集計処理部、１０５…現金管理情報記憶部、
３０…管理装置、３１…取引情報取得部、３２…現金処理制御部、３３…管理者情報管理部、３４…通信部、３５…店舗管理情報記憶部、３６及び３６Ａ現況データ管理部、３６１…固定情報判断部、３６２…流動情報判断部、３６７…投入操作判断部、３６４及び３６８…通知部、３６５及び３６９…状況判断情報提供部、
６０…携帯端末、６１０…制御部、６２０…表示部、６３０…入力部、６１１…アラート通知取得部、６１２…状況判断情報取得部、６１３…対応指示部。
【図１】
2019174962.tif 000003
【図２】
2019174962.tif 000004
【図３】
2019174962.tif 000005
【図４】
2019174962.tif 000006
【図５】
2019174962.tif 000007
【図６】
2019174962.tif 000008
【図７】
2019174962.tif 000009
【図８】
2019174962.tif 000010
【図９】
2019174962.tif 000011